(57)【要約】【課題】印刷装置が節電モードの状態であっても、ユーザが印刷を指示してから印刷物を得るまでの間の時間を短くすること。【解決手段】本発明の印刷システムにおいて、ページが切り換えられるごとに、ページ切換前のページに基づいて印刷データが生成され（Ｓ１５，Ｓ１７）、印刷装置が即時印刷出力可能な通常モードにおいて、ページ記述言語の印刷データが印刷装置に送信され（Ｓ２７）、印刷装置が即時印刷出力不可能な節電モードの状態において、イメージデータが生成され（Ｓ２０）、印刷装置の要求に応じて電子黒板装置に送信される。【選択図】図１０
2014106566.tif 000002
【特許請求の範囲】
【請求項１】
情報入力機能を有する入力表示装置と、前記入力表示装置に表示された画像を印刷出力するもので、即時に印刷出力可能な通常モードと即時に印刷出力不可能な節電モードとの切り換わり機能を有する印刷装置とを含む印刷システムにおいて、
前記入力表示装置は、
ページ切換操作に応じて、表示対象のページを切り換えるページ切換手段と、
前記ページ切換手段によりページが切り換えられるごとに、ページ切換前のページに基づいてページ記述言語の形式で表現された第１印刷データを生成する第１印刷データ生成手段と、
前記第１印刷データ生成手段にて生成された前記第１印刷データに基づいて、イメージ展開処理を行ってイメージ展開済みの第２印刷データを生成する第２印刷データ生成手段と、
前記印刷装置の状態を判定する判定手段とを備え、
前記判定手段にて前記印刷装置が前記通常モードであると判定されると、前記第１印刷データを前記印刷装置に送信する一方、前記判定手段にて前記印刷装置が前記節電モードであると判定されると、前記第２印刷データ生成手段にて前記第２印刷データを生成し、該生成した第２印刷データを記憶し、
前記印刷装置は、
前記入力表示装置から前記第１印刷データを受信すると、該第１印刷データに基づいて前記第２印刷データを生成して記憶し、
印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行することを特徴とする、印刷システム。
【請求項２】
情報入力機能を有し、表示された画像を印刷装置に出力する入力表示装置であって、
ページ切換操作に応じて、表示対象のページを切り換えるページ切換手段と、
前記ページ切換手段によりページが切り換えられるごとに、ページ切換前のページに基づいてページ記述言語の形式で表現された第１印刷データを生成する第１印刷データ生成手段と、
第１印刷データ生成手段にて生成された前記第１印刷データに基づいて、イメージ展開処理を行ってイメージ展開済みの第２印刷データを生成する第２印刷データ生成手段と、
前記印刷装置の状態を判定する判定手段とを備え、
前記判定手段にて前記印刷装置が前記通常モードであると判定されると、前記第１印刷データを前記印刷装置に送信する一方、前記判定手段にて前記印刷装置が前記節電モードであると判定されると、前記第２印刷データ生成手段にて前記第２印刷データを生成し、該生成した第２印刷データを記憶することを特徴とする、入力表示装置。
【請求項３】
情報入力機能を有する入力表示装置に表示された画像を印刷出力するもので、即時に印刷出力可能な通常モードと即時に印刷出力不可能な節電モードとの切り換わり機能を有する印刷装置であって、
前記入力表示装置から前記第１印刷データを受信すると、該第１印刷データに基づいて前記第２印刷データを生成して記憶し、
印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行することを特徴とする、印刷装置。
【請求項４】
情報入力機能を有する入力表示装置と、前記入力表示装置に表示された画像を印刷出力するもので、即時に印刷出力可能な通常モードと即時に印刷出力不可能な節電モードとの切り換わり機能を有する印刷装置とを含む印刷システムによって実行される印刷制御方法において、
前記入力表示装置は、
ページ切換操作に応じて、表示対象のページを切り換えるページ切換ステップと、
前記ページ切換ステップによりページが切り換えられるごとに、ページ切換前のページに基づいてページ記述言語の形式で表現された第１印刷データを生成する第１印刷データ生成ステップと、
第１印刷データ生成ステップにて生成された前記第１印刷データに基づいて、イメージ展開処理を行ってイメージ展開済みの第２印刷データを生成する第２印刷データ生成ステップと、
前記印刷装置の状態を判定する判定ステップとを含み、
前記判定ステップにて前記印刷装置が前記通常モードであると判定されると、前記第１印刷データを前記印刷装置に送信する一方、前記判定ステップにて前記印刷装置が前記節電モードであると判定されると、前記第２印刷データ生成ステップにて前記第２印刷データを生成し、該生成した第２印刷データを記憶し、
前記印刷装置は、
前記入力表示装置から前記第１印刷データを受信すると、該第１印刷データに基づいて前記第２印刷データを生成して記憶し、
印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行することを特徴とする、印刷制御方法。
【発明の詳細な説明】
【技術分野】
【０００１】
本発明は、電子黒板装置などの座標入力機能を有する入力表示装置に表示された画像データを画像形成装置にて印刷するための入力表示装置、印刷装置、印刷システムおよび印刷制御方法に関する。
【背景技術】
【０００２】
会議などにおいて、複数人の参加者に対して、各種情報を表示するための情報機器として、電子黒板装置（入力表示装置）が従来知られている。会議などでは、このような電子黒板装置に表示させていた画像を会議終了後に印刷して、参加者に資料として配布することもある。
【０００３】
特許文献１には、電子黒板装置に表示された画像データの画像を画像形成装置に出力して印刷させることが記載されている。具体的には、電子黒板装置に表示させた画像データを印刷対象とした印刷が指示されると、ＰＣなどのファイル変換機能を有する情報機器が、その画像データをページ記述言語などに変換して印刷データを生成し、当該印刷データを印刷指示と共に画像形成装置に送信する。画像形成装置は、ＰＣなどの情報機器から受信した印刷データをビットマップデータのようなイメージデータに変換し、印刷する。
【０００４】
また、特許文献２には、印刷対象の画像データをＰＣなどの端末装置が記憶しておき、端末装置が、印刷が指示されたときに、印刷対象の画像データを印刷データに変換して、画像形成装置に送信することが記載されている。
【先行技術文献】
【特許文献】
【０００５】
【特許文献１】特開２００９−２３０５８９号公報（２００９年１０月８日公開）
【特許文献２】特開２００２−１３２４６５号公報（２００２年５月１０日公開）
【発明の概要】
【発明が解決しようとする課題】
【０００６】
しかしながら、上述のような従来技術は、印刷が指示されることで始めて端末装置が印刷対象の画像データを印刷データに変換する。そして、画像形成装置は、端末装置におけるデータ変換を待ち、端末装置より変換された印刷データを受信すると、これをイメージデータに変換して印刷する。
【０００７】
このため、会議の主催者側が会議終了後に、電子黒板装置に表示された画像データの印刷を指示した場合、主催者側が印刷物を手に入れるまでの時間（印刷物の出力時間）として、端末装置が印刷対象の画像データを印刷データに変換する時間と、画像形成装置が印刷データをイメージデータに変換する時間とが少なくともかかってしまう。そして、会議の参加者に至っては、印刷物の出力時間に加えて、主催者側から印刷物が配布される時間も必要となるため、会議終了後、印刷物を受け取るまでに、甚だ無駄な時間待ちを強いられることとなる。
【０００８】
そこで、このような待ち時間を短くできる一つの方法として、会議中に、１ページ毎に資料の説明を終了したときに、電子黒板装置を使って印刷指示を出し、その都度、画像形成装置に印刷物を出力させる方法が考えられる。
【０００９】
しかしながら、近年、画像形成装置は、消費電力を抑えるために節電モードを有した機種が多く、このような機種では、画像の形成が可能な通常モードにおいて一定時間内にジョブの受付や入力操作がないと、画像形成装置における大部分の電力を落とした節電モードに切り換わる。このため、１ページ毎に電子黒板装置より印刷指示を出すと、画像形成装置は頻繁に節電モードから通常モードに復帰して印刷を実施することとなり、節電モードの時間が短くなり、節電効率が低くなるといった問題がある。
【００１０】
また、トナーを使用する電子写真方式の画像形成装置では、節電モードから通常モードに復帰するにあたり、定着装置の温度を、トナー像を用紙上で定着させ得る温度にまで昇温させる。したがって、復帰の回数が増えると、頻繁に定着装置の昇温が実施されることとなり、これによっても節電効率も低くなるといった問題がある。
【００１１】
本発明は、上記課題を解決するためになされたものであり、この発明の目的は、画像形成装置が節電モードの状態であっても、印刷を指示してから印刷物を得るまでの間の時間を短くすることが可能な入力表示装置、印刷装置、印刷システムおよび印刷制御方法を提供することである。
【課題を解決するための手段】
【００１２】
上記の課題を解決するために、本発明の一態様に係る印刷システムは、情報入力機能を有する入力表示装置と、前記入力表示装置に表示された画像を印刷出力するもので、即時に印刷出力可能な通常モードと即時に印刷出力不可能な節電モードとの切り換わり機能を有する印刷装置とを含む印刷システムにおいて、前記入力表示装置は、ページ切換操作に応じて、表示対象のページを切り換えるページ切換手段と、前記ページ切換手段によりページが切り換えられるごとに、ページ切換前のページに基づいてページ記述言語の形式で表現された第１印刷データを生成する第１印刷データ生成手段と、第１印刷データ生成手段にて生成された前記第１印刷データに基づいて、イメージ展開処理を行ってイメージ展開済みの第２印刷データを生成する第２印刷データ生成手段と、前記印刷装置の状態を判定する判定手段とを備え、前記判定手段にて前記印刷装置が前記通常モードであると判定されると、前記第１印刷データを前記印刷装置に送信する一方、前記判定手段にて前記印刷装置が前記節電モードであると判定されると、前記第２印刷データ生成手段にて前記第２印刷データを生成し、該生成した第２印刷データを記憶し、前記印刷装置は、前記入力表示装置から前記第１印刷データを受信すると、該第１印刷データに基づいて前記第２印刷データを生成して記憶し、印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行する。
【発明の効果】
【００１３】
本発明は、印刷装置が節電モードの状態であっても、ユーザが印刷を指示してから印刷物を得るまでの間の時間を短くすることができるといった効果を奏する。
【図面の簡単な説明】
【００１４】
【図１】本発明の第１の実施の形態の１つにおける会議用印刷システムの一例を示す図である。
【図２】電子ボード、印刷装置およびＰＣそれぞれのハードウエア構成を示すブロック図である。
【図３】オペレーティングシステムの機能の一例を示す機能ブロック図である。
【図４】ＰＣが備える制御部の機能をＨＤＤが記憶するデータとともに示す機能ブロック図である。
【図５】属性情報の一例を示す図である。
【図６】印刷装置が備える制御部の機能を記憶部が記憶するデータとともに示す機能ブック図である。
【図７】イメージデータ生成部の機能を示す機能ブロック図である。
【図８】画像形成制御部の機能を示す機能ブロック図である。
【図９】データ生成・送信処理の流れの一例を示すフローチャートである。
【図１０】ページ切換時動作処理の流れの一例を示すフローチャートである。
【図１１】イメージデータ送信要求受信時時動作処理の流れの一例を示すフローチャートである。
【図１２】印刷データ受信時動作処理の流れの一例を示すフローチャートである。
【図１３】画像形成動作処理の流れの一例を示すフローチャートである。
【図１４】第２の実施の形態におけるＰＣが備える制御部の機能の一例をＨＤＤが記憶するデータとともに示す機能ブロック図である。
【発明を実施するための形態】
【００１５】
図面を参照しつつ、本発明の実施の形態について説明する。以下の説明では、同一の部材には同一の符号を付してある。それらの名称および機能も同じである。したがって、それらについての詳細な説明は繰り返さない。
【００１６】
＜第１の実施の形態＞
図１は、本発明の第１の実施の形態の１つにおける会議用印刷システムの一例を示す図である。図１に示されるように、会議用印刷システム１は、それぞれがネットワークに接続された電子黒板装置（入力表示装置）１００と、印刷装置（画像形成装置）４００とを含み、互いに通信が可能である。なお、ネットワークは、ローカルエリアネットワーク（ＬＡＮ）であり、接続形態は有線または無線を問わない。
【００１７】
電子黒板装置１００は、電子ボード２００と、パーソナルコンピュータ（ＰＣ）３００とを含む。電子ボード２００は、ＰＣ３００上で稼動する各種アプリケーションによって作成された画像データを取得して表示することが可能である。ここで、電子ボード２００が表示する画像データは、図形や写真などの画像に限るものではなく、文字や記号などのテキストデータも含まれる。
【００１８】
図２は、電子ボード、印刷装置およびＰＣそれぞれのハードウエア構成を示すブロック図である。図２を参照して、電子ボード、印刷装置およびＰＣそれぞれのハードウエア構成について説明する。
【００１９】
印刷装置４００は、プリンタコントローラ６０と、液晶ディスプレイ等からなる表示装置とタッチパネルやボタンなどからなる入力装置とを含む操作パネル５０と、ディスク状の磁気記憶媒体を含むハードディスク記憶装置（以下、「ハードディスク」という）３０と、記録用紙に画像を形成して当該記録用紙を装置外へ排出するための画像形成部４０とを備えており、ＰＣ３００から受信したデータに応じた画像を所定の記録用紙上に出力する。
【００２０】
プリンタコントローラ６０は、印刷装置４００全体を制御する制御部４０１と、ＲＡＭ（Ｒａｎｄｏｍ  Ａｃｃｅｓｓ  Ｍｅｍｏｒｙ）とＲＯＭ（Ｒｅａｄ  Ｏｎｌｙ  Ｍｅｍｏｒｙ）からなるメモリ４０５と、操作パネル５０との接続インタフェースであるパネルインタフェース４０９と、ハードディスク（ＨＤＤ）３０との接続インタフェースであるハードディスクインタフェース４１１と、ビットマップデータを圧縮または伸張する圧縮伸張回路４１３と、ＲＧＢ色空間のビットマップデータをＣＭＹＫ色空間のビットマップデータへ変換しハーフトーン処理を行うためのハーフトーン処理回路４１５と、画像形成部４０との接続インタフェースであるビデオコントローラ４０３と、ネットワークを介してＰＣ３００との間で通信を行うネットワークインタフェース４０７と、電源制御部４１７とを備えている。
【００２１】
電源制御部４１７は、印刷装置４００に供給する電力を制御する。印刷装置４００は、通常モードと節電モードとのいずれかに切り換えることが可能である。節電モードは、通常モードよりも省電力のモードであり、通常モードにおいてジョブの受付、ジョブの実行などがない状態が所定の時間継続すると、切り換えられる。
【００２２】
電源制御部４１７は、通常モードにおいて印刷装置４００の全体に電力を供給する。一方、節電モードにおいては、例えば画像形成部４０、ハードディスク３０、操作パネル５０、及びプリンタコントローラ６０におけるＰＣ３００との通信手段であるネットワークインタフェース４０７を除く各部分の電力の供給を遮断する。
【００２３】
電子ボード２００は、操作パネル２０１と、ＰＣ３００と通信するためのＰＣインタフェース２０５とを含む。操作パネル２０１は、表示部２０１ａと、操作部２０１ｂとを含む。表示部２０１ａは、例えば液晶表示装置（ＬＣＤ）、有機ＥＬＤ（Ｅｌｅｃｔｏｒｏ  Ｌｕｍｉｎｅｓｃｅｎｃｅ  Ｄｉｓｐｌａｙ）であり、ユーザに対する設定画面等の指示メニューや取得した画像データに関する情報を含む画面を表示する。
【００２４】
操作部２０１ｂは、表示部２０１ａ上に設けられたタッチパネルで構成され、ユーザの操作による各種の指示、文字、数字などのデータの入力を受け付ける。タッチパネルは、指またはスタイラスペンで指示された位置を検出し、検出した位置の座標をＰＣインタフェース２０５を介してＰＣ３００に送信する。なお、操作部２０１ｂは、一部にキーを備えることにより、ユーザの操作による各種の指示、文字、数字などのデータの入力を受け付けるようにしてもよい。
【００２５】
ＰＣ３００は、ＰＣ３００全体を制御する制御部３０１と、ＲＡＭとＲＯＭからなるメモリ３０５と、ハードディスク（ＨＤＤ）１０との接続インタフェースであるハードディスクインタフェース３０９と、ネットワークを介してＰＣ３００との間で通信を行うネットワークインタフェース３０３と、電子ボード２００と通信するためのディスプレイインタフェース３０７と、印刷装置４００との間でデータを送受信するためのポートモニタ３１１と、ＰＤＬ処理部３１３とを備えている。
【００２６】
また、ＰＣ３００は、図３に示されるように印刷機能を有するアプリケーションプログラム３２１やプリンタドライバ３３０がインストールされている。アプリケーションプログラム３２１は、例えばワードプロセシング、スプレッドシート、フォトレタッチ、ドローあるいはペイント、プレゼンテーション、テキスト編集などの機能を提供するアプリケーションプログラムである。
【００２７】
アプリケーションプログラム３２１は、作成された文書データや画像データなどのデータを印刷するにあたり、オペレーティングシステム３２０により提供される所定のインタフェースを利用する。すなわち、アプリケーションプログラム３２１は、作成されたデータを印刷するために、オペレーティングシステム３２０の出力モジュール、ここではＧＤＩモジュール３２３に対して、オペレーティングシステム３２０に依存する所定の形式の出力コマンド（ＧＤＩ関数）を送信する。
【００２８】
ＧＤＩモジュール３２３は、デバイスドライバ開発のために予め規定されたＤＤＩインタフェース３３１をデバイスドライバに対して提供する。デバイスドライバは、このＤＤＩに合わせて、対応するデバイス、ここでは印刷装置４００のプリンタドライバ３３０を設計する。ＧＤＩモジュール３２３は、デバイス非依存形式のＧＤＩコールを、デバイス依存形式のＤＤＩコールに変換する。
【００２９】
プリンタドライバ３３０は、アプリケーションプログラム３２１が発行する命令に従って、ページ記述言語（ＰＤＬ）形式の印刷データを生成する。具体的には、プリンタドライバ３３０は、ＤＤＩインタフェース３３１と、ユーザインタフェース３３３と、ＰＤＬ生成部３３５とを含む。
【００３０】
ＤＤＩインタフェース３３１は、ＤＤＩコールを、オペレーティングシステム３２０やプリンタドライバ３３０に依存しない予め定義された中間言語形式のデータに変換する。ＰＤＬ生成部３３５は、ＤＤＩインタフェース３３１により変換されたデータをＰＤＬ形式に変換することによりＰＤＬ形式の印刷データを生成する。ユーザインタフェース３３３は、ユーザからの詳細な印刷設定の情報を取得する機能を有する。
【００３１】
図４は、ＰＣが備える制御部の機能をＨＤＤが記憶するデータとともに示す機能ブロック図である。制御部３０１の機能は、制御部３０１がＨＤＤ１０等に記憶されたアプリケーションプログラム３２１を実行することにより実現される。図４に示されるように、ＰＣ３００が備える制御部３０１は、操作受付部３５１と、表示制御部３５３と、属性情報生成部３５５と、書込画像生成部３５７と、ＰＤＬ制御部（第１印刷データ生成手段、第２印刷データ生成手段）３５９と、印刷情報送信部３６１と、イメージデータ送信部３６３とを含む。
【００３２】
操作受付部３５１は、ユーザが文書ファイル一覧を表示する指示を電子ボード２００の操作パネル２０１より入力すると、文書ファイル一覧を電子ボード２００の操作パネル２０１に表示する。文書ファイル一覧は、ＰＣ３００のＨＤＤ１０に記憶されたデータを識別するためのファイル名を含む。ＨＤＤ１０に複数のデータが記憶されている場合、複数のデータそれぞれを識別するための複数のファイル名を含む。操作受付部３５１は、文書ファイル一覧に含まれるファイル名を選択する操作を受け付けると、選択されたファイル名を含む選択指示を表示制御部３５３に出力する。
【００３３】
操作受付部３５１は、ページ切換操作を受け付けるページ切換操作受付部（ページ切換手段）３７１を含む。ページ切換操作は、ページを１ページ分送るためのページ送り操作と、ページを１ページ分戻すためのページ戻し操作とを含む。ページ切換操作受付部３７１は、ページ切換操作を受け付けるごとに、ページ送りまたはページ戻しのいずれかを示すページ切換信号を表示制御部３５３、書込画像生成部３５７、印刷情報送信部３６１およびＰＤＬ制御部３５９に出力する。ページ切換操作がページ送り操作である場合、ページ送りを示すページ切換信号を出力し、ページ切換操作がページ戻し操作である場合、ページ戻しを示すページ切換信号を出力する。
【００３４】
表示制御部３５３は、操作受付部３５１から選択指示が入力されると、選択指示に含まれるファイル名で特定される文書ファイル１１をＨＤＤ１０から読み出し、文書ファイル１１に含まれる複数ページのうち最初のページ番号のページの画像を操作パネル２０１に表示する。
【００３５】
また、表示制御部３５３は、ページ切換操作受付部３７１からページ切換信号が入力されると、その信号に応じたページの画像を操作パネル２０１に表示し、表示されたページのページ番号を属性情報生成部３５５、書込画像生成部３５７、ＰＤＬ制御部３５９および印刷情報送信部３６１に出力する。具体的には、ページ切換信号がページ送りを示す場合には、ページ切換信号が入力された時点で表示されているページのページ番号より１つ後のページ番号のページの画像を表示し、ページ切換信号がページ戻しを示す場合には、ページ切換信号が入力された時点で表示されているページのページ番号より１つ前のページ番号のページの画像を表示する。
【００３６】
なお、表示制御部３５３は、最初のページを表示しているときに、ページ戻しを示すページ切換信号が入力されると、最後のページを表示し、最後のページを表示しているときに、ページ送りを示すページ切換信号が入力されると、最初のページを表示する。
【００３７】
属性情報生成部３５５は、文書ファイル１１の属性情報１７を生成する。属性情報１７は、文書ファイル１１に含まれる複数のページそれぞれについて、表示回数と、書込みなどの変更の有無を示す変更履歴とを含む。
【００３８】
図５は、属性情報の一例を示す図である。図５に示されるように、属性情報は、文書ファイルに含まれる複数のページそれぞれについて属性レコードを含む。属性レコードは、文書ファイルに含まれる複数のページそれぞれのページ番号が設定されるページ番号の項目と、そのページ番号のページが表示された回数が設定される表示回数の項目と、そのページ番号のページに対する変更の有無を示す情報が設定される変更履歴の項目とを含み、ページ番号と、表示回数と、変更履歴とを関連付ける。
【００３９】
属性情報生成部３５５は、表示制御部３５３からページ番号が入力されるごとに、文書ファイル１１の属性情報１７のうち表示回数を更新する。具体的には、表示制御部３５３から入力されるページ番号がページ番号の項目に設定されている属性レコードの表示回数の項目に設定されている回数に１加算した回数を設定することにより更新する。
【００４０】
また、属性情報生成部３５５は、後述する書込画像生成部３５７により画像の書込みが検出されると、画像の書込みが検出されたページの変更履歴を更新する。具体的には、属性情報生成部３５５は、書込画像生成部３５７から画像の書込みが検出されたページのページ番号を含む変更検出信号が入力されると、変更検出信号で示されるページ番号がページ番号の項目に設定されている属性レコードの変更履歴の項目に書込有りを示す情報を設定する。ここでは、書込有りを示す情報として、例えば「有」の値を変更履歴の項目に設定する。
【００４１】
また、属性情報生成部３５５は、後述するＰＤＬ制御部３５９から画像の書込みを反映したページのページ番号を含む変更反映信号が入力されると、変更反映信号で示されるページ番号がページ番号の項目に設定されている属性レコードの変更履歴の項目に書込無しを示す情報を設定する。ここでは、書込み無しを示す情報として、例えば「無」の値を変更履歴の項目に設定する。
【００４２】
書込画像生成部３５７は、ユーザが操作パネル２０１の備えるタッチパネルに書き込んだ書込画像を生成する。具体的には、書込画像生成部３５７は、ユーザがタッチパネルを指示すると、画像の書込みを検出し、タッチパネルにおいて指示された位置を示す位置情報を操作パネル２０１から取得し、取得した順に関連付けた位置情報の履歴を生成する。そして、書込画像生成部３５７は、生成された位置情報の履歴で示される書込画像を表示制御部３５３に出力する。
【００４３】
また、書込画像生成部３５７は、ユーザが操作パネル２０１の備える書込ボタンを指示すると、書込画像データを生成し、生成された書込画像データ１３をＨＤＤ１０に記憶するとともに、変更検出信号を属性情報生成部３５５およびＰＤＬ制御部３５９に出力する。変更検出信号は、画像の書込みが検出された時点において表示制御部３５３から入力されているページ番号を含む。
【００４４】
書込画像データ１３は、操作パネル２０１の備える書込ボタンが指示された時点で生成されている書込画像と、操作パネル２０１の備える書込ボタンが指示された時点で表示制御部３５３により表示されているページのページ番号とを関連付けたデータである。また、書込画像生成部３５７は、ページ切換操作受付部３７１からページ切換信号が入力されると、生成された位置情報の履歴（書込画像）を初期化する。
【００４５】
表示制御部３５３は、書込画像生成部３５７から位置情報の履歴（書込画像）が入力されると、入力された書込画像を、表示中のページの画像に重畳して表示する。また、表示制御部３５３は、表示するページの画像を切り換えるごとに、ＨＤＤ１０に記憶された書込画像データ１３を参照して、切換後のページのページ番号と関連付けられた書込画像が存在すれば、その書込画像を、切換後のページの画像に重畳して表示する。
【００４６】
ＰＤＬ制御部３５９は、ページ切換操作受付部３７１からページ切換信号が入力されるごとに、印刷データ生成コマンドをプリンタドライバ３３０に発行する。ＰＤＬ制御部３５９は、ページ切換操作前に表示制御部３５３により表示されていたページ（以下、「ページ切換操作前ページ」という）をＨＤＤ１０に記憶された文書ファイル１１から抽出し、そのページを含む第１印刷データ生成コマンドを生成する。ページ切換操作前ページは、ページ切換操作受付部３７１から入力されるページ切換信号の入力前に表示制御部３５３から入力されたページ番号のページである。
【００４７】
ただし、ＰＤＬ制御部３５９は、書込画像生成部３５７によりページ切換操作前ページに書込みが検出されている場合、そのページ切換操作前ページのページ番号に関連付けられた書込画像を書込画像データ１３から抽出し、そのページ切換操作前ページと、書込画像とを含む第２印刷データ生成コマンドをプリンタドライバ３３０に発行する。
【００４８】
ページ切換操作前ページに対する書込みが有るか否かは、文書ファイル１１の属性情報１７に基づいて判断する。文書ファイル１１の属性情報１７のうちページ切換操作前ページのページ番号を含む属性レコードの変更履歴の項目に書込み有りを示す情報が設定されている場合、ページ切換操作前ページに対する書込み有りと判断するが、文書ファイル１１の属性情報１７のうちページ切換操作前ページのページ番号を含む属性レコードの変更履歴の項目に書込み無しを示す情報が設定されている場合、ページ切換操作前ページに対する書込み無しと判断する。
【００４９】
また、ＰＤＬ制御部３５９は、ページ切換操作前ページが初回の表示対象である場合は、そのページに対する書込みの有無に関わらず、第１，２印刷データ生成コマンドのいずれかをプリンタドライバ３３０に発行するが、ページ切換操作前ページが初回の表示対象でない場合には、そのページ切換操作前ページに対する書込みが有ることを条件に、第２印刷データ生成コマンドをプリンタドライバ３３０に発行する。これにより、２回以上表示され、書込み等の変更が２回以上成された場合にも、そのページにおける変更を更新した新たな印刷データを生成することができる。
【００５０】
ページ切換操作前ページが初回の表示対象か否かは、文書ファイル１１の属性情報１７に基づいて判断する。具体的には、文書ファイル１１の属性情報１７のうちページ切換操作前ページのページ番号を含む属性レコードの表示回数の項目に「１」が設定されているならば初回の表示対象と判断するが、「２」以上の回数が設定されているならば初回の表示対象でないと判断する。
【００５１】
さらに、ＰＤＬ制御部３５９は、後述するイメージデータ送信部３６３からのイメージデータ生成要求に応じて、第３印刷データ生成コマンドをプリンタドライバ３３０に発行する。イメージデータ生成要求は、イメージデータ送信部３６３が生成を要求するページを示す。ＰＤＬ制御部３５９は、イメージデータ生成要求で示されるページを文書ファイル１１から抽出し、抽出されたページを含む第３印刷データ生成コマンドをプリンタドライバ３３０に発行する。
【００５２】
プリンタドライバ３３０は、ＰＤＬ制御部３５９から印刷データ生成コマンドを受け取ると、ＰＤＬ形式の印刷データを生成し、ＰＤＬ制御部３５９に与える。ＰＤＬ制御部３５９から第１，３印刷データ生成コマンドいずれかを受け取った場合、印刷データ生成コマンドで示されるページに基づいて印刷データを生成する。ＰＤＬ制御部３５９から第２印刷データ生成コマンドを受け取った場合、第２印刷データ生成コマンドで示されるページと書込画像とを合成した合成画像に基づいて印刷データを生成する。これにより、ページに書込みが反映された印刷データが生成される。ＰＤＬ制御部３５９は、書込みが反映された印刷データをプリンタドライバ３３０から受け取ると、変更反映信号を属性情報生成部３５５に出力する。
【００５３】
また、ＰＤＬ制御部３５９は、ポートモニタ３１１を介して、印刷装置４００のモードを監視する。ＰＤＬ制御部３５９は、印刷装置４００のモードが節電モードである場合、ＰＤＬ処理部３１３を制御して、プリンタドライバ３３０により生成された印刷データをビットマップ形式のイメージデータに変換し、そのイメージデータを、元となるページのページ番号と、そのページが属する文書ファイル１１のファイル名と関連付けて、第１，第２記憶方法のいずれかに従ってＨＤＤ１０に記憶する。具体的には、文書ファイル１１のファイル名を含む第１結合ファイル１５を生成し、生成されたイメージデータを、その元となるページのページ番号と関連付けて第１結合ファイル１５に格納する。
【００５４】
第１記憶方法は、初出のページのイメージデータを第１結合ファイル１５に追加する方法である。第２記憶方法は、２回以上表示されたページにおける変更を反映した新たな印刷データに基づいて生成されたイメージデータと、変更前の印刷データに基づいて生成されたイメージデータとを差し替える方法である。
【００５５】
ＰＤＬ制御部３５９は、第１記憶方法または第２記憶方法のいずれに従ってイメージデータを記憶するか判断する。第１結合ファイル１５に、生成されたイメージデータの元となるページのページ番号と同一のページ番号に関連付けられたイメージデータが含まれない場合、第１記憶方法に従ってイメージデータを記憶する。
【００５６】
一方、第１結合ファイル１５に、生成されたイメージデータの元となるページのページ番号と同一のページ番号に関連付けられているイメージデータが含まれる場合、第２記憶方法に従ってイメージデータを記憶する。
【００５７】
ＰＤＬ制御部３５９は、第１記憶方法に従う場合、第１結合ファイル１５に、生成されたイメージデータとページ番号とを関連付けて追加する。ＰＤＬ制御部３５９は、第２記憶方法に従う場合、生成されたイメージデータと、第１結合ファイル１５に含まれるイメージデータのうち、生成されたイメージデータの元となるページのページ番号と同じページ番号に関連付けられたイメージデータとを差し替える。
【００５８】
ＰＤＬ制御部３５９は、印刷装置４００のモードが通常モードである場合、印刷データと、元となるページのページ番号と、そのページが属する文書ファイル１１のファイル名とを含む印刷情報送信指示を印刷情報送信部３６１に出力する。
【００５９】
イメージデータ送信部３６３は、印刷装置４００からイメージデータ送信要求を受信することに応じて、印刷装置４００が要求する文書ファイルのページのイメージデータを返信する。イメージデータ送信部３６３は、印刷装置４００が要求する文書ファイル１１のページについてイメージデータが生成済みか否かを判断する。印刷装置４００が要求する文書ファイル１１のページのイメージデータが第１結合ファイル１５に格納されているならば、イメージデータ生成済みと判断し、そうでなければイメージデータ未生成と判断する。
【００６０】
イメージデータ送信部３６３は、イメージデータ未生成と判断されたページについてイメージデータ生成要求をＰＤＬ制御部３５９に出力する。イメージデータ生成要求は、印刷装置４００が送信を要求するページが属する文書ファイル１１のファイル名と、イメージデータ未生成と判断されたページのページ番号とを含む。
【００６１】
イメージデータ送信部３６３は、イメージデータ生成済みと判断されたページのイメージデータを第１結合ファイル１５から抽出し、抽出されたイメージデータと、イメージデータ生成要求に応じてＰＤＬ制御部３５９により生成されたイメージデータを印刷装置４００に返信する。
【００６２】
印刷情報送信部３６１は、ページ切換操作受付部３７１によりページ切換操作が受け付けられるごとに、印刷対象の情報を示す印刷情報を、ポートモニタ３１１を介して印刷装置４００に送信する。
【００６３】
上述したように、ページ切換操作時におけるＰＤＬ制御部３５９による印刷データ生成コマンドの発行は、ページ切換操作前ページが初回の表示対象であること、または、ページ切換操作前ページに対する書込みが有ることの少なくとも一方を条件とする。このため、ページ切換操作前ページが初回の表示対象でなく、かつ書込みが無い場合、印刷情報送信部３６１は、印刷情報を送信しない。
【００６４】
図６は、印刷装置が備える制御部の機能を記憶部が記憶するデータとともに示す機能ブック図である。図６に示されるように、印刷装置４００の制御部４０１は、印刷情報受信部４５１と、イメージデータ生成部４５３と、印刷操作受付部４５５と、画像形成制御部４５７とを含む。
【００６５】
印刷情報受信部４５１は、ポートモニタ３１１を介してＰＣ３００から印刷情報を受信し、受信した印刷情報をイメージデータ生成部４５３に出力する。上述したように、ページ切換操作には、ページ送り操作と、ページ戻し操作とが含まれる。このため、ユーザの操作にページ戻し操作が含まれなければ、１回表示されたページが再度表示されることなく、初出のページ番号のページの表示が繰り替えされる。このような場合、ＰＣ３００からは、初出のページ番号のページの表示が繰り替えされるごとに、初出のページ番号のページの印刷データを含む印刷情報が送信され、これを印刷情報受信部４５１が受信する。
【００６６】
一方、ユーザの操作にページ戻し操作が１回以上含まれるならば、１回表示されたページが再度表示されることになる。このような場合、ＰＣ３００からは、２回以上表示されたページに変更がある場合に、変更を反映したページの印刷データを含む印刷情報が送信され、印刷情報受信部４５１はこれを受信する。
【００６７】
イメージデータ生成部４５３は、印刷情報受信部４５１により印刷情報が受信されると、受信した印刷情報に基づいてイメージデータを生成する。ここで、図７を参照して、イメージデータ生成部４５３の構成について具体的に説明する。
【００６８】
図７は、イメージデータ生成部の機能を示す機能ブロック図である。図７に示されるように、イメージデータ生成部４５３は、コマンド解析部４５３ａと、中間データ生成部４５３ｂと、プリンタ描画部４５３ｃと、ビットマップ圧縮部４５３ｄと、圧縮データ保存部４５３ｅとを含む。
【００６９】
コマンド解析部４５３ａは、印刷情報受信部４５１から入力された印刷情報に含まれる印刷データ（ＰＤＬコマンド）を解析する。中間データ生成部４５３ｂは、コマンド解析部４５３ａにより解析された印刷データに基づいて、オブジェクト単位およびページを複数の領域に分割したバンド単位で分類された中間データを生成する。中間データは、描画すべきオブジェクトと、その属性としてオブジェクトの種類、座標および色情報などとを含む。
【００７０】
プリンタ描画部４５３ｃは、中間データ生成部４５３ｂにより生成された１ページ分の中間データに基づいて、バンド単位でビッドマップ形式のイメージデータを生成する。ビッドマップ圧縮部４５３ｄは、プリンタ描画部４５３ｃによって生成されたイメージデータを圧縮伸張回路４１３で圧縮する。
【００７１】
圧縮データ保存部４５３ｅは、ビッドマップ圧縮部４５３ｄによって圧縮されたイメージデータを、第３，第４記憶方法のいずれかに従ってＨＤＤ３０に記憶する。圧縮データ保存部４５３ｅは、印刷情報に含まれるファイル名を含む第２結合ファイル３１を生成し、生成されたイメージデータと印刷情報に含まれるページ番号とを関連付けて第２結合ファイル３１に格納する。
【００７２】
第３記憶方法は、初出のページのイメージデータを第２結合ファイル３１に追加する方法である。第２記憶方法は、２回以上表示されたページにおける変更を反映した新たな印刷データに基づいて生成されたイメージデータと、変更前の印刷データに基づいて生成されたイメージデータとを差し替える方法である。
【００７３】
圧縮データ保存部４５３ｅは、印刷情報受信部４５１により受信された印刷情報に基づいて、第３記憶方法または第４記憶方法のいずれに従ってイメージデータを記憶するか判断する。印刷情報受信部４５１により受信された印刷情報に含まれるファイル名を含む第２結合ファイル３１に、印刷情報に含まれるページ番号と同一のページ番号に関連付けられたイメージデータが含まれない場合、第３記憶方法に従ってイメージデータを記憶する。
【００７４】
一方、印刷情報受信部４５１により受信された印刷情報に含まれるファイル名を含む第２結合ファイル３１に、印刷情報に含まれるページ番号と同一のページ番号に関連付けられているイメージデータが含まれる場合、第４記憶方法に従ってイメージデータを記憶する。
【００７５】
圧縮データ保存部４５３ｅは、第３記憶方法に従う場合、印刷情報受信部４５１により受信された印刷情報に含まれるファイル名を含む第２結合ファイル３１に、生成されたイメージデータとページ番号とを関連付けて追加する。
【００７６】
圧縮データ保存部４５３ｅは、第２記憶方法に従う場合、印刷情報受信部４５１により受信された印刷情報に基づいて生成されたイメージデータと、印刷情報に含まれるファイル名を含む第２結合ファイル３１に含まれるイメージデータのうち、印刷情報に含まれるページ番号と同じページ番号に関連付けられたイメージデータとを差し替える。
【００７７】
図６に戻って、印刷操作受付部４５５は、ユーザが操作パネル５０に印刷対象を設定する指示を入力すると、印刷対象に設定するための印刷対象設定画面を表示する。印刷対象設定画面は、文書ファイル１１に含まれるページの画像が、例えばチェックボックスとともにサムネイルで表示された画面である。ユーザは、操作パネル５０を操作してチェックボックスにチェックを入力することが可能である。チェックボックスにチェックが入った状態で、印刷対象に設定される。
【００７８】
印刷操作受付部４５５は、印刷対象設定画面において、印刷指示を受け付けると、印刷対象に設定されたページについての画像形成指示を画像形成制御部４５７に出力する。画像形成指示は、文書ファイル１１のファイル名と、印刷対象に設定されたページのページ番号とを含む。
【００７９】
画像形成制御部４５７は、印刷操作受付部４５５から画像形成指示が入力されると、画像形成部４０を制御し、印刷操作受付部４５５から入力された画像形成指示に従って画像を形成する。ここで、図８を参照して、画像形成制御部４５７の構成について具体的に説明する。
【００８０】
図８は、画像形成制御部の機能を示す機能ブロック図である。図８に示されるように、画像形成制御部４５７は、画像読出部４５７ａと、ビットマップ伸張部４５７ｂと、ハーフトーン処理部４５７ｃとを含む。
【００８１】
画像読出部４５７ａは、印刷操作受付部４５５からの画像形成指示に従い、印刷対象設定画面において印刷対象に設定されたページについて、ＰＣ３００のＨＤＤ１０、或いは印刷装置４００のＨＤＤ３０から圧縮されたイメージデータを読み出す。具体的には、画像形成指示で示されるファイル名を含む第２結合ファイル３１に含まれるイメージデータのうち、画像形成指示で示されるページ番号と関連付けられたイメージデータをメモリ４０５に転送する。
【００８２】
画像読出部４５７ａは、画像形成指示に含まれるページ番号と関連付けられたイメージデータが印刷装置４００のＨＤＤ３０に存在しない場合、そのページ番号のイメージデータの送信をＰＣ３００に要求することにより取得し、メモリ４０５に転送する。
【００８３】
ビットマップ伸張部４５７ｂは、メモリ４０５に読み出されたイメージデータをバンド単位で読出し、読み出されたバンド単位のイメージデータを圧縮伸張回路４１３により伸張する。ハーフトーン処理部４５７ｃは、ハーフトーン処理回路４１５によりハーフトーン処理をバンド単位で実行し、ビデオコントローラ４０３に出力する。ビデオコントローラ４０３は、画像形成部４０からデータの転送要求が発信されると、ハーフトーン処理回路４５７ｃによりハーフトーン処理が実行されたイメージデータをバンド単位で、所定の同期信号にあわせて画像形成部４０に出力する。
【００８４】
図９は、データ生成・送信処理の流れの一例を示すフローチャートである。データ生成・送信処理は、ＰＣ３００の制御部３０１がアプリケーションプログラム３２１を実行することにより、制御部３０１により実行される処理である。図９に示されるように、操作受付部３５１は、ＨＤＤ１０に記憶された文書ファイルのファイル一覧に含まれるファイル名を選択する操作を受け付けると、選択されたファイル名で特定される文書ファイルをＨＤＤ１０から選択する（ステップＳ０１）。
【００８５】
次のステップＳ０２において、表示制御部３５３は、ステップＳ０１において選択された文書ファイルの最初のページを表示し、処理をステップＳ０３に進める。
【００８６】
ステップＳ０３において、属性情報生成部２１５は、ステップＳ０２において表示されたページの属性情報を更新する。具体的には、ステップＳ０２において表示されたページのページ番号がページ番号の項目に設定されている属性レコードを、ステップＳ０１において選択された文書ファイルの属性情報から抽出し、抽出された属性レコードの表示回数の項目に設定されている回数に１加算した回数を設定する。
【００８７】
次のステップＳ０４において、ページ切換操作受付部３７１は、ページ切換操作を受け付けたか否かを判断する。ページ切換操作を受け付けたならば処理をステップＳ０５に進めるが、そうでなければ処理をステップＳ０６に進める。
【００８８】
ステップＳ０５において、制御部３０１は、ページ切換時動作処理を実行し、処理をステップＳ０６に進める。ページ切換時動作処理については、図１０を用いて後述するが、印刷装置４００のモードに応じて、ページ切換操作前のページについて印刷データを送信するか、イメージデータを生成してＨＤＤ１０に記憶するかを判断する処理である。
【００８９】
ステップＳ０６において、イメージデータ送信部３６３は、印刷装置４００からイメージデータの送信要求を受信したか否かを判断する。印刷装置４００からイメージデータの送信要求を受信したならば処理をステップＳ０８に進めるが、そうでなければ処理をステップＳ０７に進める。
【００９０】
ステップＳ０７において、操作受付部３５１は、表示終了指示を受け付けたか否かを判断する。表示終了指示を受け付けたならばデータ生成・送信処理を終了するが、そうでなければ処理をステップＳ０４に戻す。
【００９１】
なお、ステップＳ０４〜Ｓ０７の処理は、ステップＳ０６においてイメージデータの送信要求を受信するか、ステップＳ０７において文書ファイルの表示終了指示があるまで繰り返される。
【００９２】
ステップＳ０８において、制御部３０１は、イメージデータ送信要求受信時動作処理を実行し、データ生成・送信処理を終了する。印刷指示受付時動作処理については、図７を用いて後述するが、印刷指示受付時に表示されているページについて印刷データを生成し、生成された印刷データを含む印刷情報を印刷装置４００に送信する処理である。
【００９３】
図１０は、ページ切換時動作処理の流れの一例を示すフローチャートである。ページ切換時動作処理は、図９に示すデータ生成・送信処理のステップＳ０５において実行される処理である。図１０に示されるように、表示制御部３５３は、ステップＳ０４において受け付けられたページ切換操作に応じたページの画像を操作パネル２０１に表示する（ステップＳ１１）。
【００９４】
上述したように、ページ切換操作は、ページ送り操作と、ページ戻し操作とが含まれる。ステップＳ０４においてページ送り操作が受け付けられた場合、ページを１ページ分送り、ステップＳ０４においてページ戻し操作が受け付けられた場合、ページを１ページ分戻す。
【００９５】
なお、文書ファイルの最初のページにおいて、ページ戻し操作が受け付けられた場合には、最後のページが表示される。また、文書ファイルの最後のページにおいて、ページ送り操作が受け付けられた場合、最初のページが表示される。
【００９６】
次のステップＳ１２において、属性情報生成部３５５は、ステップＳ０４におけるページ切換操作による切換後のページについて、属性情報を更新する。具体的には、ステップＳ０１において選択された文書ファイルの属性情報のうち、ステップＳ０４におけるページ切換操作による切換後のページのページ番号を含む属性レコードを抽出し、抽出された属性レコードの表示回数の項目に設定されている回数に１加算した回数を設定する。
【００９７】
次のステップＳ１３において、ＰＤＬ制御部３５９は、ページ切換操作前ページに変更があったか否かを判断する。具体的には、ステップＳ０１において選択された文書ファイルの属性情報を参照し、ステップＳ１１におけるページ切換操作前ページに対する書込みが有るか否かを判断する。ステップＳ１１におけるページ切換操作前ページのページ番号を含む属性レコードの変更履歴の項目に「有」の値が設定されているならばページ切換操作前ページに対する書込み有りと判断し、処理をステップＳ１４に進める。一方、ステップＳ１１におけるページ切換操作前ページのページ番号を含む属性レコードの変更履歴の項目に「無」の値が設定されているならばページ切換操作前ページに対する書込み無しと判断し、処理をステップＳ１５に進める。
【００９８】
ステップＳ１５において、ＰＤＬ制御部３５９は、ページ切換操作前ページが初回表示か否かを判断する。具体的には、ステップＳ０１において選択された文書ファイルの属性情報を参照し、ページ切換操作前ページの表示回数が１回またはその回数より多いかを判断する。ページ切換操作前ページのページ番号を含む属性レコードの表示回数の項目に「１」が設定されているならば処理をステップＳ１５に進める。一方、ページ切換操作前ページのページ番号を含む属性レコードの表示回数の項目に「２」以上の回数が設定されているならばページ切換時動作処理を終了する。
【００９９】
ステップＳ１５において、ＰＤＬ制御部３５９は、第１印刷データ生成コマンドをプリンタドライバ３３０に発行することにより、ステップＳ１１におけるページ切換操作前ページについて印刷データを生成させ、処理をステップＳ１９に進める。
【０１００】
ステップＳ１６において、ＰＤＬ制御部３５９は、ページ切換操作前ページについて生成された書込画像を取得する。ステップＳ１３においてページ切換操作前ページに書込みと判断された場合、そのページのページ番号と書込画像とが関連付けられた書込画像データをＨＤＤ１０は記憶している。ＰＤＬ制御部３５９は、ページ切換操作前ページのページ番号とともに含まれる書込画像を、ＨＤＤ１０に記憶された書込画像データから取得する。
【０１０１】
ステップＳ１７において、ＰＤＬ制御部３５９は、第２印刷データ生成コマンドをプリンタドライバ３３０に発行することにより、ステップＳ１１におけるページ切換操作前ページと、ステップＳ１６において取得された書込画像とを合成した合成画像に基づいて印刷データを生成させる。
【０１０２】
次のステップＳ１８において、属性情報生成部３５５は、ページ切換操作前ページについて、属性情報を更新する。具体的には、ステップＳ０１において選択された文書ファイルの属性情報のうち、ページ切換操作前ページのページ番号を含む属性レコードを抽出し、抽出された属性レコードの変更履歴の項目に「無」の値を設定する。
【０１０３】
ステップＳ１９において、ＰＤＬ制御部３５９は、ポートモニタ３１１を介して印刷装置４００が節電モードか否かを判断する。印刷装置４００が節電モードであるならば処理をステップＳ２０に進めるが、そうでなければ処理をステップＳ２６に進める。
【０１０４】
ステップＳ２０において、ＰＤＬ制御部３５９は、ステップＳ１５またはステップＳ１７で生成された印刷データに基づいて、ＰＤＬ処理部３１３にイメージデータを生成させ、処理をステップＳ２１に進める。
【０１０５】
ステップＳ２１において、ＰＤＬ制御部３５９は、ステップＳ１１におけるページ切換操作前ページ、換言すればステップＳ２０において生成されたイメージデータの元となるページについてのイメージデータが生成済みか否かを判断する。具体的には、ステップＳ２０において生成されたイメージデータの元となるページのページ番号に関連付けられたイメージデータが第１結合ファイルに記憶されているか否かを判断する。ステップＳ２０において生成されたイメージデータの元となるページのページ番号に関連付けられたイメージデータが第１結合ファイルに記憶されているならば生成済みと判断し、処理をステップＳ２３に進めるが、そうでなければ未生成と判断し、処理をステップＳ２２に進める。
【０１０６】
ステップＳ２２において、ＰＤＬ制御部３５９は、新規にステップＳ０１において選択されたファイル名を含む第１結合ファイルを生成し、第１結合ファイルにステップＳ２０において生成されたイメージデータをページ番号と関連付けて格納する。
【０１０７】
ステップＳ２３において、ＰＤＬ制御部３５９は、イメージデータの記憶方法を判断する。ステップＳ０１において選択されたファイル名を含む結合ファイルに、ステップ１１におけるページ切換操作前ページのページ番号と同一のページ番号に関連付けられたイメージデータが含まれない場合、第１記憶方法に従ってイメージデータを記憶する。
【０１０８】
第１記憶方法は、初出のページのイメージデータを第１結合ファイルに追加する方法である。第１記憶方法に従う場合、ステップＳ０１において選択されたファイル名を含む第１結合ファイルに、ステップＳ２０において生成されたイメージデータとページ番号とを関連付けて追加する。
【０１０９】
一方、ステップＳ０１において選択されたファイル名を含む第１結合ファイルに、ステップＳ１１における切換操作前ページのページ番号と同一のページ番号に関連付けられているイメージデータが含まれる場合、第２記憶方法に従ってイメージデータを記憶する。
【０１１０】
第２記憶方法は、２回以上表示されたページにおける変更を反映したイメージデータと、変更前のイメージデータとを差し替える方法である。第２記憶方法に従う場合、ステップＳ２０において生成されたイメージデータと、ステップＳ０１において選択されたファイル名を含む第１結合ファイルに含まれるイメージデータのうち、ステップＳ１１におけるページ切換操作前ページのページ番号と同じページ番号に関連付けられたイメージデータとを差し替える。
【０１１１】
ステップＳ２６において、印刷情報送信部３６１は、ステップＳ１５またはステップＳ１７において生成された印刷データと、ステップＳ０１において選択されたファイル名と、ページ切換操作前ページのページ番号とを含む印刷情報を生成し、処理をステップＳ２７に進める。
【０１１２】
ステップＳ２７において、印刷情報送信部３６１は、ステップＳ２６において生成された印刷情報を、ポートモニタ３１１を介して印刷装置４００に送信し、ページ切換時動作処理を終了する。
【０１１３】
図１１は、イメージデータ送信要求受信時時動作処理の流れの一例を示すフローチャートである。イメージデータ送信要求受信時動作処理は、図９に示すデータ生成・送信処理のステップＳ０８において実行される処理である。図１１に示されるように、イメージデータ送信部３６３は、印刷装置４００から送信が要求されたページのページ番号を選択する（ステップＳ４１）。そして、選択されたページ番号のページについてイメージデータが生成済みか否かを判断する（ステップＳ４２）。選択されたページ番号のページ関連付けられたイメージデータが第１結合ファイルに記憶されているならば処理をステップＳ４２に進めるが、そうでなければ処理をステップＳ４３に進める。
【０１１４】
ここで、ステップＳ４１において選択されたページ番号のページ関連付けられたイメージデータが第１結合ファイルに記憶されていない場合、印刷装置４００が要求しているイメージデータは、未表示のページについてのイメージデータである。
【０１１５】
ステップＳ４３において、ＰＤＬ制御部３５９は、ステップＳ４１において選択されたページ番号のページについて第３印刷データ生成コマンドをプリンタドライバ３３０に発行することにより、未表示のページについて印刷データを生成させる。
【０１１６】
次のステップＳ４４において、ＰＤＬ制御部３５９は、ステップＳ４３において生成された印刷データに基づいて、ＰＤＬ処理部３１３にイメージデータを生成させ、処理をステップＳ４６に進める。
【０１１７】
ステップＳ４５において、イメージデータ送信部３６３は、ステップＳ４１において選択されたページ番号に関連付けられたイメージデータを第１結合ファイルから抽出し、処理をステップＳ４６に進める。
【０１１８】
ステップＳ４６において、イメージデータ送信部３６３は、送信対象を設定する。処理がステップＳ４５から進む場合、ステップＳ４５において抽出されたイメージデータを送信対象に設定し、処理がステップＳ４４から進む場合、ステップＳ４４において生成されたイメージデータを送信対象に設定する。
【０１１９】
次のステップＳ４７において、印刷装置４００が要求するページのうち、未選択のページ番号があるか否かを判断する。未選択のページ番号があるならば処理をステップＳ４１に戻すが、そうでなければ処理をステップＳ４８に進める。
【０１２０】
ステップＳ４８において、イメージデータ送信部３６３は、ステップＳ４６において送信対象に設定されたイメージデータを印刷装置４００に返信し、イメージデータ送信要求受信時動作処理を終了する。
【０１２１】
図１２は、印刷データ受信時動作処理の流れの一例を示すフローチャートである。印刷データ受信時動作処理は、印刷装置４００の制御部４０１が印刷データ受信時動作プログラムを実行することにより、制御部４０１により実行される処理である。図１２に示されるように、印刷情報受信部４５１は、ステップＳ２７においてＰＣ３００から送信された印刷情報を受信する（ステップＳ５１）。
【０１２２】
次のステップＳ５２において、イメージデータ生成部４５３は、ステップＳ５１において受信された印刷情報に含まれる印刷データを、ビットマップ形式等に変換することによりイメージデータを生成し、処理をステップＳ５３に進める。
【０１２３】
ステップＳ５３において、イメージデータ生成部４５３は、ステップＳ０１において選択されたファイル名を含む第２結合ファイルが生成済みか否かを判断する。ステップＳ５１において受信された印刷情報に含まれるファイル名を含む第２結合ファイルがＨＤＤ３０に記憶されているならば生成済みと判断し、処理をステップ５５に進める。一方、ステップＳ５１において受信された印刷情報に含まれるファイル名を含む第２結合ファイルがＨＤＤ３０に記憶されていないならば未生成と判断し、処理をステップ５４に進める。
【０１２４】
ステップＳ５４において、イメージデータ生成部４５３は、ステップＳ５１において受信された印刷情報に含まれるファイル名を含む第２結合ファイルを生成する。そして、ステップＳ５１において受信された印刷情報に含まれるページ番号を、ステップＳ５２において生成されたイメージデータに関連付け、そのイメージデータを第２結合ファイルに追加して記憶する。
【０１２５】
ステップＳ５５において、イメージデータ生成部４５３は、ステップＳ５１において受信された印刷情報に基づいて、ステップＳ５２において生成されたイメージデータの記憶方法を判断する。ステップＳ５１において受信された印刷情報に含まれるファイル名を含む第２結合ファイルに、ステップＳ５１において受信された印刷情報に含まれるページ番号と同一のページ番号に関連付けられたイメージデータが含まれない場合、第３記憶方法に従ってイメージデータを記憶する。
【０１２６】
第３記憶方法は、初出のページのイメージデータを第２結合ファイルに追加する方法である。第３記憶方法に従う場合、ステップＳ５１において受信された印刷情報に含まれるファイル名を含む第２結合ファイルに、ステップＳ５２において生成されたイメージデータとページ番号とを関連付けて追加する（ステップＳ５６）。
【０１２７】
一方、ステップＳ５１において受信された印刷情報に含まれるファイル名を含む第２結合ファイルに、ステップＳ５１において受信された印刷情報に含まれるページ番号と同一のページ番号に関連付けられているイメージデータが含まれる場合、第４記憶方法に従ってイメージデータを記憶する。
【０１２８】
第４記憶方法は、２回以上表示されたページにおける変更を反映したイメージデータと、変更前のイメージデータとを差し替える方法である。第４記憶方法に従う場合、ステップＳ５２において生成されたイメージデータと、ステップＳ５１において受信された印刷情報に含まれるファイル名を含む第２結合ファイルに含まれるイメージデータのうち、ステップＳ５１において受信された印刷情報に含まれるページ番号と同じページ番号に関連付けられたイメージデータとを差し替える（ステップＳ５７）。
【０１２９】
図１３は、画像形成動作処理の流れの一例を示すフローチャートである。画像形成動作処理は、印刷装置４００の制御部４０１が画像形成動作プログラムを実行することにより、制御部４０１により実行される処理である。図１３に示されるように、印刷操作受付部４５５は、操作パネル５０において印刷対象設定指示を受け付けたか否かを判断する（ステップＳ６１）。印刷対象設定指示を受け付けたならば処理をステップＳ６２に進める。
【０１３０】
ステップＳ６２において、印刷操作受付部４５５は、印刷対象設定画面を表示する。印刷対象設定画面は、ＰＣ３００に記憶された文書ファイルに含まれるページの画像が、例えばチェックボックスとともにサムネイルで表示された画面である。ユーザは、操作パネル５０を操作してチェックボックスにチェックを入力することが可能である。チェックボックスにチェックが入った状態で、印刷対象に設定される。なお、ＰＣ３００に記憶された文書ファイルに含まれるページについては、ステップＳ６１において印刷対象設定指示が受け付けられた時点で、ＰＣ３００に要求することにより取得するようにすればよい。
【０１３１】
ここで、ステップＳ６２において、ステップＳ０１において選択されたファイル名で特定される文書ファイルについて、印刷対象が設定された場合を例に説明する。
【０１３２】
次のステップＳ６３において、印刷操作受付部４５５は、ステップＳ６２において表示された印刷対象設定画面において印刷指示を受け付けたか否かを判断する。印刷指示を受け付けたならば処理をステップＳ６４に進めるが、そうでなければ処理をステップＳ６３に戻す。
【０１３３】
ステップＳ６４において、印刷操作受付部４５５は、印刷対象設定画面において、印刷対象の設定がされているか否かを判断する。印刷対象の設定がされているならば処理をステップＳ６５に進めるが、そうでなければ処理をステップＳ６３に戻す。
【０１３４】
ステップＳ６５において、画像形成制御部４５７は、ステップＳ６２において印刷対象に設定されたページのイメージデータを取得する。具体的には、印刷対象に設定されたページをＨＤＤ３０から取得し、ＨＤＤ３０に記憶されていないイメージデータについては、ＰＣ３００にイメージデータ送信要求を送信することにより取得する。
【０１３５】
ステップ６６において、画像形成制御部４５７は、ステップＳ６５において取得されたイメージデータに基づいて画像を形成し、画像形成動作処理を終了する。
【０１３６】
＜第２の実施の形態＞
第１の実施の形態においては、ユーザが印刷指示を印刷装置４００において入力することにより、文書ファイル１１について生成されたイメージデータの画像を形成するものであった。第２の実施の形態においては、電子ボード２００から印刷装置４００に印刷指示するものである。
【０１３７】
図１４は、第２の実施の形態におけるＰＣが備える制御部の機能の一例をＨＤＤが記憶するデータとともに示す機能ブロック図である。図１４に示されるように、制御部３０１Ａが図４に示される制御部３０１と異なる点は、操作受付部３５１Ａが印刷操作受付部３６５を含む点である。その他の機能および構成については、制御部３０１と同様であるので、異なる点について主に説明する。
【０１３８】
印刷操作受付部３６５は、ユーザが操作パネル２０１に印刷対象を設定する指示を入力すると、印刷対象に設定するための印刷対象設定画面を表示する。印刷対象設定画面は、文書ファイル１１に含まれるページの画像が、例えばチェックボックスとともにサムネイルで表示された画面である。ユーザは、操作パネル２０１を操作してチェックボックスにチェックを入力することが可能である。チェックボックスにチェックが入った状態で、印刷対象に設定される。
【０１３９】
印刷操作受付部３６５は、印刷対象設定画面において、印刷指示を受け付けると、印刷対象に設定されたページについての画像形成指示を印刷装置４００に送信する。画像形成指示は、文書ファイル１１のファイル名と、印刷対象に設定されたページのページ番号とを含む。
【０１４０】
印刷装置４００において、画像形成制御部４５７は、ＰＣ３００から画像形成指示が受信されると、画像形成部４０を制御し、画像形成指示に従って画像を形成する。
【０１４１】
なお、ページ切換操作は、ページ送り操作およびページ戻し操作に限定するものではなく、ユーザが指定したページのページ番号に切り換える操作であってもよい。
【０１４２】
＜まとめ＞
以上説明したように、本発明の一態様に係る印刷システムは、情報入力機能を有する入力表示装置と、前記入力表示装置に表示された画像を印刷出力するもので、即時に印刷出力可能な通常モードと即時に印刷出力不可能な節電モードとの切り換わり機能を有する印刷装置とを含む印刷システムにおいて、前記入力表示装置は、ページ切換操作に応じて、表示対象のページを切り換えるページ切換手段と、前記ページ切換手段によりページが切り換えられるごとに、ページ切換前のページに基づいてページ記述言語の形式で表現された第１印刷データを生成する第１印刷データ生成手段と、第１印刷データ生成手段にて生成された前記第１印刷データに基づいて、イメージ展開処理を行ってイメージ展開済みの第２印刷データを生成する第２印刷データ生成手段と、前記印刷装置の状態を判定する判定手段とを備え、前記判定手段にて前記印刷装置が前記通常モードであると判定されると、前記第１印刷データを前記印刷装置に送信する一方、前記判定手段にて前記印刷装置が前記節電モードであると判定されると、前記第２印刷データ生成手段にて前記第２印刷データを生成し、該生成した第２印刷データを記憶し、前記印刷装置は、前記入力表示装置から前記第１印刷データを受信すると、該第１印刷データに基づいて前記第２印刷データを生成して記憶し、印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行する。
【０１４３】
上記の構成によれば、入力表示装置は、表示対象のページが切り換えられるごとに、ページ切換前のページに基づいてページ記述言語の第１印刷データを生成し、印刷装置が印刷出力可能な通常モードであれば、第１印刷データを印刷装置に送信し、印刷装置が印刷出力不可能な節電モードであれば、第１印刷データに基づいてイメージ展開済みの第２印刷データを生成して記憶する。また、印刷装置は、入力表示装置から第１印刷データを受信すると、該第１印刷データに基づいて第２印刷データを生成して記憶し、印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行する。
【０１４４】
このため、ユーザが資料の説明をしている間に、印刷装置が通常モードである場合は、入力表示装置で生成された第１印刷データを印刷装置に送信して、印刷装置で第２印刷データを生成することにより、印刷対象となるイメージ展開済みのデータを準備でき、印刷装置が節電モードである場合は、入力表示装置がイメージ展開済みのデータ（第２印刷データ）を準備することができる。これにより、節電モードから復帰した印刷装置は、入力表示装置に要求することで、印刷対象となるイメージ展開済みのデータを取得することができる。
【０１４５】
したがって、印刷装置が２つのモードのいずれの状態であっても、切り換えられたページについて、入力表示装置か印刷装置のいずれかが第２印刷データを生成することができる。このため、印刷装置が印刷指示を受けたときには、ページ切換操作により切り換えられたページについての第２印刷データの生成が完了している。
【０１４６】
したがって、印刷装置が印刷指示を受け付けたときに実行する処理が少なくなる。このため、印刷装置は、複数ページの資料の印刷について、印刷指示を受け付けてから印刷物の出力を終えるまでの時間を短くすることができる。
【０１４７】
また、上記の構成によれば、印刷装置が節電モードである場合には、１頁毎に印刷装置を復帰させて、１ページ毎に印刷物を出力させるといった節電効率の低い処理を行わなくても、複数ページの資料の印刷をまとめてできるので、印刷指示を受け付けてから印刷物の出力を終えるまでの時間を短くしながらも、節電効率を良くすることができる。
【０１４８】
したがって、印刷装置が節電モードの状態であっても、ユーザが印刷を指示してから印刷物を得るまでの間の時間を短くすることが可能な印刷システムを提供することができる。
【０１４９】
また、本発明の一態様に係る入力表示装置は、情報入力機能を有し、表示された画像を印刷装置に出力する入力表示装置であって、ページ切換操作に応じて、表示対象のページを切り換えるページ切換手段と、前記ページ切換手段によりページが切り換えられるごとに、ページ切換前のページに基づいてページ記述言語の形式で表現された第１印刷データを生成する第１印刷データ生成手段と、第１印刷データ生成手段にて生成された前記第１印刷データに基づいて、イメージ展開処理を行ってイメージ展開済みの第２印刷データを生成する第２印刷データ生成手段と、前記印刷装置の状態を判定する判定手段とを備え、前記判定手段にて前記印刷装置が前記通常モードであると判定されると、前記第１印刷データを前記印刷装置に送信する一方、前記判定手段にて前記印刷装置が前記節電モードであると判定されると、前記第２印刷データ生成手段にて前記第２印刷データを生成し、該生成した第２印刷データを記憶する。
【０１５０】
上記の構成によれば、印刷装置が節電モードの状態であっても、ユーザが印刷を指示してから印刷物を得るまでの間の時間を短くすることが可能な入力表示装置を提供することができる。
【０１５１】
また、本発明の一態様に係る印刷装置は、情報入力機能を有する入力表示装置に表示された画像を印刷出力するもので、即時に印刷出力可能な通常モードと即時に印刷出力不可能な節電モードとの切り換わり機能を有する印刷装置であって、前記入力表示装置から前記第１印刷データを受信すると、該第１印刷データに基づいて前記第２印刷データを生成して記憶し、印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行する。
【０１５２】
上記の構成によれば、節電モードの状態であっても、ユーザが印刷を指示してから印刷物を得るまでの間の時間を短くすることが可能な印刷装置を提供することができる。
【０１５３】
本発明の一態様に係る印刷制御方法は、情報入力機能を有する入力表示装置と、前記入力表示装置に表示された画像を印刷出力するもので、即時に印刷出力可能な通常モードと即時に印刷出力不可能な節電モードとの切り換わり機能を有する印刷装置とを含む印刷システムによって実行される印刷制御方法において、前記入力表示装置は、ページ切換操作に応じて、表示対象のページを切り換えるページ切換ステップと、前記ページ切換ステップによりページが切り換えられるごとに、ページ切換前のページに基づいてページ記述言語の形式で表現された第１印刷データを生成する第１印刷データ生成ステップと、第１印刷データ生成ステップにて生成された前記第１印刷データに基づいて、イメージ展開処理を行ってイメージ展開済みの第２印刷データを生成する第２印刷データ生成ステップと、前記印刷装置の状態を判定する判定ステップとを含み、前記判定ステップにて前記印刷装置が前記通常モードであると判定されると、前記第１印刷データを前記印刷装置に送信する一方、前記判定ステップにて前記印刷装置が前記節電モードであると判定されると、前記第２印刷データ生成ステップにて前記第２印刷データを生成し、該生成した第２印刷データを記憶し、前記印刷装置は、前記入力表示装置から前記第１印刷データを受信すると、該第１印刷データに基づいて前記第２印刷データを生成して記憶し、印刷指示を受けると、印刷対象のページの第２印刷データを記憶している場合、該第２印刷データに基づいて印刷処理を実行し、印刷対象のページの第２印刷データを記憶していない場合、前記入力表示装置に対して該当する前記第２印刷データを要求して取得し、該取得した第２印刷データに基づいて印刷処理を実行する。
【０１５４】
上記の構成によれば、印刷装置が節電モードの状態であっても、ユーザが印刷を指示してから印刷物を得るまでの間の時間を短くすることが可能な印刷制御方法を提供することができる。
【０１５５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５６】
最後に、電子黒板装置１００の各ブロック、特に制御部２０１，３０１，３０１Ａは、ハードウェアロジックによって構成してもよいし、次のようにＣＰＵを用いてソフトウェアによって実現してもよい。
【０１５７】
すなわち、電子黒板装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子黒板装置１００の制御プログラムのプログラムコード（実行形式プログラム、中間コードプログラム、ソースプログラム）をコンピュータで読み取り可能に記録した記録媒体を、上記電子黒板装置１００に供給し、そのコンピュータ（またはＣＰＵやＭＰＵ）が記録媒体に記録されているプログラムコードを読み出し実行することによっても、達成可能である。
【０１５８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１５９】
また、電子黒板装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【０１６０】
１  会議用印刷システム
１１  文書ファイル
１００  電子黒板装置（入力表示装置）
２００  電子ボード
２０１，３０１，３０１Ａ  制御部
２１５  属性情報生成部
３００  パーソナルコンピュータ（ＰＣ）
３３５  ＰＤＬ生成部
３５１，３５１Ａ  操作受付部
３５３  表示制御部
３５５  属性情報生成部
３５７  書込画像生成部
３５９  ＰＤＬ制御部
３６１  印刷情報送信部
３６３  イメージデータ送信部
３６５  印刷操作受付部
３７１  ページ切換操作受付部
４００  印刷装置
４０１  制御部
４１７  電源制御部
４５１  印刷情報受信部
４５３  イメージデータ生成部
４５５  印刷操作受付部
４５７  画像形成制御部
【図１】
2014106566.tif 000003
【図２】
2014106566.tif 000004
【図３】
2014106566.tif 000005
【図４】
2014106566.tif 000006
【図５】
2014106566.tif 000007
【図６】
2014106566.tif 000008
【図７】
2014106566.tif 000009
【図８】
2014106566.tif 000010
【図９】
2014106566.tif 000011
【図１０】
2014106566.tif 000012
【図１１】
2014106566.tif 000013
【図１２】
2014106566.tif 000014
【図１３】
2014106566.tif 000015
【図１４】
2014106566.tif 000016